(57)【要約】【課題】チェーンの切詰め作業の作業性を向上させるチェーンの切詰め用治具を提供する。【解決手段】チェーン切詰め用治具１０のボルト軸３２を、継手リンク５４の前後のリンク５２−１、５２−２に挿入させ、ボルト軸３２のナット３４をネジ結合させ、ボルト軸３２がリンク５２の隙間から抜けない様にする。次に、解除釦２６を押し、本体棒１２を任意の長さに縮め、一対の支持棒１４間の間隔を固定する。これにより、リンク５２−１、５２−２間に弛みを持たせると共に、支持棒１４間以外のリンク５２に一定の張力を掛けることができる。支持棒１４間には弛みがあるので、継手リンク５４、リンク５２の取り外しが容易であり、これ以外の部分には、張力が掛けられているので、チェーン５０の揺れを防止することができる。【選択図】図３
2007024078.tif 000002
【特許請求の範囲】
【請求項１】
複数のリンクが連結されその両端部が継手リンクで連結された無端状のチェーンの切詰め作業の際に使用されるチェーンの切詰め用治具であって、
本体棒と、
前記本体棒の軸方向に離れて設けられ、前記リンクの隙間に挿通される一対の支持棒と、
を備え、
前記本体棒は、長さが可変、且つ、任意の長さに固定可能であり、その長さを変えることによって一対の支持棒間の間隔を変えてその間隔が固定可能であることを特徴とするチェーンの切詰め用治具。
【請求項２】
請求項１に記載のチェーンの切詰め用治具であって、
前記本体棒は、歯列が形成された第１棒部材と、前記第１棒部材に対してスライド可能に係合する第２棒部材であって、任意の位置で前記歯列と噛み合うことで第１棒部材と第２棒部材とを固定する係止部を備える第２棒部材と、を含むことを特徴とするチェーンの切詰め用治具。
【請求項３】
請求項１又は請求項２に記載のチェーンの切詰め用治具であって、
前記支持棒は、ネジ部が形成されたボルト軸と、ボルト軸のネジ部にネジ結合し、リンク隙間からボルト軸が抜けるのを防止するナットと、を含むことを特徴とするチェーンの切詰め用治具。
【発明の詳細な説明】
【技術分野】
【０００１】
本発明は、チェーンの切詰め用治具の改良に関する。
【背景技術】
【０００２】
従来から知られている様に、エスカレータは、踏段に駆動力を伝達する駆動チェーンや踏段チェーン、手摺に駆動力を伝達する手摺チェーン等を備えている。これらチェーンは、適切なテンションを維持している必要があるが、時間の経過と共に、チェーンに伸びが生じ、不適切なテンションとなる。このように、チェーンに伸びが生じた場合など、チェーンの切詰め作業等を行い、テンションを調整する必要がある。
【０００３】
図５は、このようなチェーンの切詰め作業に使用される特許文献１のチェーンの切詰め用仮止め具を示す図である。
【０００４】
図５に示す様に、チェーン５０は、複数のリンク５２が連結されその両端部が継手リンク５４で連結され、無端状のチェーン５０となっている。特許文献１では、切詰め作業の際に、まず、継手リンク５４を間に配するようにリンク５２−１とリンク５２−２にＳ字フック５６を取り付け、このＳ字フック５６にコイルバネ５８の両端を引っ掛ける。その後、継手リンク５４を取り外してチェーン５０を引き離し、１，２個のリンク５２を取り外して切詰め作業を行う。
【０００５】
この特許文献１のチェーンの切詰め用仮止め具によれば、Ｓ字フック５６とコイルバネ５８で継手リンク５４の前後を係止することにしたので、継手リンク５４を取り外したときに、チェーン５０の端部が大きく離れることがないので、切詰めの作業性を向上させることができる。
【０００６】
【特許文献１】特開２０００−２９１７４５号公報
【発明の開示】
【発明が解決しようとする課題】
【０００７】
しかしながら、特許文献１のチェーンの切詰め用仮止め具では、コイルバネ５８の張力が弱いと、コイルバネ５８が伸縮しチェーン５０が揺れてしまい、継手リンク５４の取り外し等、切詰めの作業性が悪くなるという問題がある。
【０００８】
また、コイルバネ５８の張力が強すぎると、コイルバネ５８をＳ字フック５６に引っ掛ける作業がしづらいという問題がある。
【０００９】
そこで、本発明は上記課題を解決するためになされたもので、チェーンの切詰め作業の作業性を向上させたチェーンの切詰め用治具を提供することを目的とする。
【課題を解決するための手段】
【００１０】
本発明のチェーンの切詰め用治具は、複数のリンクが連結されその両端部が継手リンクで連結された無端状のチェーンの切詰め作業の際に使用されるチェーンの切詰め用治具であって、本体棒と、前記本体棒の軸方向に離れて設けられ、前記リンクの隙間に挿通される一対の支持棒と、を備え、前記本体棒は、長さが可変、且つ、任意の長さに固定可能であり、その長さを変えることによって一対の支持棒間の間隔を変えてその間隔が固定可能であることを特徴とする。
【００１１】
本発明のチェーンの切詰め用治具において、前記本体棒は、歯列が形成された第１棒部材と、前記第１棒部材に対してスライド可能に係合する第２棒部材であって、任意の位置で前記歯列と噛み合うことで第１棒部材と第２棒部材とを固定する係止部を備える第２棒部材と、を含むことを特徴とする。
【００１２】
本発明のチェーンの切詰め用治具において、前記支持棒は、ネジ部が形成されたボルト軸と、ボルト軸のネジ部にねじ結合し、リンク隙間からボルト軸が抜けるのを防止するナットと、を含むことを特徴とする。
【発明の効果】
【００１３】
本発明によれば、一対の支持棒でチェーンを支持すると共に、支持棒間の間隔を所望の長さで固定することができるので、チェーンの所望の位置に弛みとテンションを与えることができ、切詰め作業の作業性を向上させることができる。
【発明を実施するための最良の形態】
【００１４】
以下、発明を実施するための形態（以下、実施形態という）について、図面を参照し説明する。背景技術で説明した同一又は相当する部材には、同一の符号を付しその詳細な説明は省略する。
【００１５】
図１は、本実施形態のチェーン切詰め用治具の構成を示す図である。図１に示す様に、実施形態のチェーン切詰め用治具１０は、長さが可変、且つ、任意の長さに固定可能である本体棒１２と、本体棒１２の軸方向に離れて設けられらた一対の支持棒１４と、備えている。
【００１６】
本実施形態において、本体棒１２は、棒状の第１棒部材１６と、円筒状の第２棒部材１８と、を備える。第１棒部材１６は、基部２０と、基部２０の先端から延伸し、複数の歯２２ａが長さ方向に沿って形成された歯列部２２と、を備える。この第１棒部材１６の歯列部２２が第２棒部材１８の内部に挿入され、スライド可能に係合する。一方、第２棒部材１８には、この歯列部２２と噛み合う係止部２４が形成されている。
【００１７】
図２は、図１のＡ−Ａ線断面図であり、第２棒部材１８の係止部２４の断面を示す図である。図２に示す様に、係止部２４は、解除釦２６と、解除釦２６を外側に付勢するバネ２８と、解除釦２６が押圧されたときに外側に向かって広がる係止ベルト３０と、を備えている。なお、この係止ベルト３０の内側に第１棒部材１６が挿入されている。通常、図２（Ａ）に示す様に、解除釦２６が、バネ２８に付勢されることで、係止ベルト３０が第１棒部材１６の歯２２ａの間に入り込み、歯列部２２と噛み合って第１棒部材１６と第２棒部材１８とを固定している。図２（Ｂ）に示す様に、解除釦２６を押圧すると、係止ベルト３０が外側に広がるので、係止ベルト３０と歯列部２２との噛み合いが解除され、第１棒部材１６と第２棒部材１８とをスライドすることができる。解除釦２６を復帰させると、係止ベルト３０が第１棒部材１６の歯２２ａの間に再び入り込み、歯列部２２と噛み合う。このように、係止ベルト３０が、歯列部２２の任意の位置で噛み合い、第１棒部材１６と第２棒部材１８とを固定し、また、解除をすることができるので、本体棒１２を任意の長さに調整することができる。
【００１８】
図１に戻り、一対の支持棒１４について説明する。支持棒１４は、本実施形態において、ボルト軸３２と、ナット３４と、を備えている。このボルト軸３２は、図１に示す様に、第１棒部材１６の基部２０、第２棒部材１８の基端側から延びている。すなわち、第１棒部材１６と第２棒部材１８が噛み合った状態で、本体棒１２の軸方向に離れた位置に設けられる。したがって、本体棒１２を任意の長さに変えると、ボルト軸３２（支持棒１４）間の間隔を変えることができる。なお、ボルト軸３２のネジ部３２ａは、ボルト軸３２の先端付近にのみ形成しても良い。
【００１９】
ボルト軸３２には、ネジ部３２ａが形成されており、このネジ部３２ａにナット３４がネジ結合する。後述する様に、このボルト軸３２は、リンクの隙間に挿通され、このナット３４がリンクに引っ掛かかることにより、ボルト軸３２がリンクから抜け落ちることを防止することができる。
【００２０】
次に、本実施形態のチェーン切詰め用治具の作用について説明する。図３は、チェーン切詰め用治具をリンクに取り付けた状態を示す図であり、図４は、継手リンクを取り外した状態を示す図である。
【００２１】
本実施形態のチェーン切詰め用治具は、例えばエスカレータに備えられた駆動チェーン等の切詰め作業に使用することができる。
【００２２】
チェーン５０は、背景技術で説明した様に、複数のリンク５２が連結されリンク５２の両端部が継手リンク５４で連結され、無端状のチェーン５０となっている。まず、図４に示す様に、継手リンク５４を間に配して、すなわち、継手リンク５４の前後のリンク５２−１、５２−２にボルト軸３２を挿入させる。ボルト軸３２のナット３４をネジ結合させ、ボルト軸３２がリンク５２の隙間から抜けない様にする。
【００２３】
次に、解除釦２６を押し、本体棒１２を任意の長さに縮め、所望の位置で解除釦２６を元に戻す。これにより、本体棒１２の長さが固定され、一対の支持棒１４間の間隔が固定される。そこで、リンク５２−１、５２−２間に弛みを持たせると共に、支持棒１４間以外のリンク５２に一定の張力を掛けることができる。これにより、後述するように、切詰め作業の作業性を良くすることができる。
【００２４】
次に、継手リンク５４を取り外してチェーン５０の連結を解除し（図４参照）、１又は２個のリンク５２を取り外して、最後に再び継手リンク５４で連結し、無端状のチェーン５０にする。この一連の作業において、支持棒１４間のリンク５２には、弛みが持たせてあるので、継手リンク５４の取り外しを容易に行うことができる。また、チェーン５０の端部からリンク５２を取り外す際には、連結が解除されたチェーン５０の端部が、支持棒１４により支持されているので、チェーン５０の端部を捕まえやすいという利点がある。更に、継手リンク５４を再度取り付ける作業では、リンク５２を取り外したことにより、チェーン５０が短くなっているが、元々支持棒１４間に弛みを持たせてあったので、大きな力で引っ張ることなく、継手リンク５４を取り付けることができる。
【００２５】
また、切詰め作業中、支持棒１４間以外のリンク５２には、一定の張力が掛けられているので、チェーン５０の揺れを防止することができるので、作業効率を向上させることができる。
【００２６】
切詰め作業が終了したら、解除釦２６を押し、本体棒１２の長さを伸ばし、張力を緩める。ナット３４をボルト軸３２から外し、ボルト軸３２をリンク５２−１、５２−２から引き抜いて作業を終了する。
【００２７】
以上、説明した様に、チェーン切詰め用治具を用いることにより、チェーンの切詰め作業を効率良く行うことができる。
【図面の簡単な説明】
【００２８】
【図１】実施形態のチェーン切詰め用治具の構成を示す図である。
【図２】図１のＡ−Ａ線断面図であり、第２棒部材の係止部の断面を示す図である。
【図３】チェーン切詰め用治具をリンクに取り付けた状態を図である。
【図４】継手リンクを取り外した状態を示す図である。
【図５】特許文献１のチェーンの切詰め用治具を示す図である。
【符号の説明】
【００２９】
１０  チェーン切詰め用治具、１２  本体棒、１４  支持棒、１６  第１棒部材、１８  第２棒部材、２０  基部、２２  歯列部、２４  係止部、２６  解除釦、２８  バネ、３０  係止ベルト、３２  ボルト軸、３４  ナット、５０  チェーン、５２  リンク、５４  継手リンク。
【図１】
2007024078.tif 000003
【図２】
2007024078.tif 000004
【図３】
2007024078.tif 000005
【図４】
2007024078.tif 000006
【図５】
2007024078.tif 000007